(57)【要約】靴を履く、背中が痒い、身体をほぐしたい時に、容易に素早く対処できる携帯用靴べらである。携帯用靴べら１は、幅方向に湾曲した板体を長手方向にも略弓状に湾曲させて細長棒状に形成した靴べらにおいて、その柄１ａの部分を中央部で二つ折りにして全長を約半分にできる。また、柄１ａの部分の先端部に孫の手２を形成していると共に、その孫の手２の部分と靴べらのへら部分１ｂとに身体たたき用弾性体３を着脱自在に取付けられる。そして、孫の手と身体たたきとの機能を兼ね備えるものとして折り畳めるようにしたことにより、旅行時などに持ち運んで、靴を履くときには靴べらのへら部分で、背中が痒いときには孫の手の部分で、身体をほぐしたいときには身体たたき用弾性体で肩たたきのようにして、容易に素早く対処することができる。
2004098356.tif 000002
【特許請求の範囲】
【請求項１】
幅方向に湾曲した板体を長手方向にも略弓状に湾曲させて細長棒状に形成した靴べらにおいて、その柄の部分を中央部で二つ折りにして全長を約半分にできるように構成した携帯用靴べらであり、前記柄の部分の先端部に孫の手を形成していると共に、その孫の手の部分と前記靴べらのへら部分とに身体たたき用弾性体を着脱自在に取付けられるように構成したことを特徴とする携帯用靴べら。
【請求項２】
前記柄の部分は、前記孫の手の部分および前記靴べらのへら部分よりも前記幅が狭く形成されていると共に、前記身体たたき用弾性体は、身体への接触面を球面とした本体部と、前記孫の手の部分および靴べらのへら部分への取付け部とからなっており、
前記身体たたき用弾性体の取付け部は、前記柄の部分には係止せずに、前記孫の手の部分および靴べらのへら部分に係止する溝幅を有する係止用溝が形成されていることを特徴とする請求項１記載の携帯用靴べら。
【請求項３】
前記孫の手は、先端部を折曲した折曲端に設けている波状突起と、折曲部分に寄った左右側縁部に複数突設している小突起とから構成していると共に、前記身体たたき用弾性体の係止用溝には、前記孫の手の小突起に係止する係止孔が形成されていることを特徴とする請求項１、２、３記載の携帯用靴べら。
【発明の詳細な説明】
【技術分野】    この発明は、バック等に入れて常時持ち歩くことのできる携帯用の靴べらに関するものである。
【背景技術】    携帯用靴べらとしては、幅方向を同一形状に湾曲し細長偏平棒状に形成した靴べらと孫の手をそれぞれの基端部にてピンで回転自在に連結したものが知られている。
前述した従来の携帯用靴べらは、別個に存在していた孫の手及び靴べらを一体にし、バッグ等に入れて持ち歩けるものとして、旅行などの外出に際して必要に応じて即座に対応できるようにしたものである。このような例として、特開２００２−３０６５５４号が存在する。
一方、旅行の移動時のように長時間同じ姿勢でいる場合には、一般的に、身体をほぐすして血行を良くするような動作を行いたくなる。
ところが、前述した従来の携帯用靴べらにはこのような身体をほぐすような機能は付加されておらず、例えば、旅行時に持ち歩くものに、そのような機能を持たせることが望まれていた。
この発明は前述した事情に鑑みて創案されたもので、その目的は靴を履くとき、背中が痒いとき、身体をほぐしたいときに、容易に素早く対処することができる携帯用靴べらを提供することにある。
【発明の開示】
この発明の携帯用靴べらは、幅方向に湾曲した板体を長手方向にも略弓状に湾曲させて細長棒状に形成した靴べらにおいて、その柄の部分を中央部で二つ折りにして全長を約半分にできるように構成している。
そして、この発明の携帯用靴べらでは、柄の部分の先端部に孫の手を形成していると共に、その孫の手の部分と靴べらのへら部分とに身体たたき用弾性体を着脱自在に取付けられるように構成している。
このような発明の携帯用靴べらによれば、孫の手と身体たたきとの機能を兼ね備えるものとして折り畳めるようにしたことにより、旅行時などに持ち運んで、靴を履くときには靴べらのへら部分で、背中が痒いときには孫の手の部分で、身体をほぐしたいときには身体たたき用弾性体で肩たたきのようにして、容易に素早く対処することができる。
【図面の簡単な説明】    図１の（ａ）はこの発明の携帯用靴べらを示す概略図で、（ｂ）は（ａ）のＡ−Ａ線矢視図であり、図２は図１（ａ）のＢ−Ｂ線断面図であり、図３は図１（ａ）のＣ−Ｃ線断面図であり、図４の（ａ）はこの発明の携帯用靴べらで使用する身体たたき用弾性体を示す概略図で、（ｂ）は（ａ）のＤ−Ｄ線矢視図で、（ｃ）は（ｂ）のＥ−Ｅ線矢視図であり、図５の（ａ）はこの発明の携帯用靴べらの折り畳んだ状態を示す概略図で、（ｂ）は（ａ）のＦ−Ｆ線矢視図であり、図６はこの発明の携帯用靴べらの別形態を示す概略図であり、図７の（ａ）は図６の携帯用靴べらで用いる身体たたき用弾性体を示す概略図で、（ｂ）は（ａ）のＧ−Ｇ線矢視図で、（ｃ）は（ａ）のＨ−Ｈ線矢視図である。
【発明を実施するための最良の形態】    以下、この発明の携帯用靴べらを図示する一実施形態によって説明する。
携帯用靴べら１（図１参照）は、幅方向に湾曲した板体を長手方向にも略弓状に湾曲させて細長棒状に形成した靴べらにおいて、その柄１ａの部分を中央部で二つ折りにして全長を約半分にできるように構成している。
そして、この携帯用靴べら１は、柄１ａの部分の先端部に孫の手２を形成していると共に、その孫の手２の部分と靴べらのへら部分１ｂとに身体たたき用弾性体３を着脱自在に取付けられるように構成している。
この実施形態での柄１ａの部分は、孫の手２の部分および靴べらのへら部分１ｂよりも幅が狭く形成されている。
なお、この柄１ａの部分は、中央部分において回転自在にピン４によりピン着された二個の部材で構成されていると共に、この中央部分も孫の手２の部分および靴べらのへら部分１ｂと同じ幅で形成されている。
この実施形態での孫の手２は、先端部を折曲してなる折曲部２ａの折曲端に複数設けている波状突起２ｂと、折曲部２ａに寄った左右側縁部に複数突設している小突起２ｃとからなっている。
この実施形態での身体たたき用弾性体３は、図２〜図４に示すように、身体への接触面３ａを球面とした本体部３ｂと、孫の手２の部分および靴べらのへら部分１ｂへの取付け部３ｃとからなっている。
この実施形態での身体たたき用弾性体３の取付け部３ｃには、柄１ａの部分に係止しない（図３参照）と共に、孫の手２の部分および靴べらのへら部分１ｂに係止する（図２参照）溝幅を有する係止用溝３ｄが形成されている。
このような身体たたき用弾性体３は、係止用溝３ｄを利用して、図１に示すように、柄１ａの部分から孫の手２の部分（靴べらのへら部分１ｂ）にスライドさせることにより、係止用溝３ｄを利用して、孫の手２の部分と靴べらのへら部分１ｂとに取付けられる。
この時に、係止用溝３ｄの幅を、孫の手２の部分および靴べらのへら部分１ｂの幅よりも、少しだけ小さなものとしておくことにより、係止用溝３ｄの幅に孫の手２の部分および靴べらのへら部分１ｂが嵌合するようになって、身体たたき用弾性体３を孫の手２の部分および靴べらのへら部分１ｂに確実に取付けることができる。
また、孫の手２の部分（靴べらのへら部分１ｂ）から柄１ａの部分にスライドさせることにより、孫の手２の部分と靴べらのへら部分１ｂとから取り外せるようになっている。
即ち、これらのことから、身体たたき用弾性体３は、孫の手２の部分と靴べらのへら部分１ｂとに着脱自在に取付けられるようになっている。
このような構成からなる携帯用靴べら１の使用に際しては、次に述べるようにして行う。
先ず、持ち運び時には、図５に示すように、中央部分のピン４を中心に回転させて柄１ａの部分の二個の部材を重ね合わせることにより、柄１ａの部分を中央部で二つ折りにして全長を約半分とし、携帯用靴べら１をコンパクトにする。
この持ち運び時の身体たたき用弾性体３は、そのまま別に携帯してもよいが、例えば、図５の（ａ）に示すように、重ね合わされた孫の手２の部分および靴べらのへら部分１ｂに取り付けておく。
次に、この折り畳んで携帯している携帯用靴べら１の使用時には、孫の手２側あるいは靴べらのへら部分１ｂ側の何れか一方を回転させ押し開いて、図１に示すように、略弓状に湾曲した細長棒状とする。
そして、孫の手および靴べらとして用いる場合は、そのままの状態で孫の手２の部分およびへら部分１ｂを使用する。
また、身体をほぐす場合には、前述したようにして、身体たたき用弾性体３を孫の手２の部分または靴べらのへら部分１ｂに取付け、本体部３ｂの接触面３ａで身体の凝っている部分を肩たたきのようにして叩いて使用する。
このようにこの発明の携帯用靴べら１によれば、孫の手と身体たたきとの機能を兼ね備えるものとして折り畳めるようにしたことにより、旅行時などに持ち運んで、靴を履くときには靴べらのへら部分で、背中が痒いときには孫の手２の部分で、身体をほぐしたいときには身体たたき用弾性体３で肩たたきのようにして、容易に素早く対処することができる。
図６は、この発明の携帯用靴べら１の別形態を示すものである。ここでの身体たたき用弾性体３は、孫の手２の左右側縁部に複数突設した小突起２ｃを利用して取付けている。即ち、身体たたき用弾性体３の係止用溝３ｄに、図７に示すように、孫の手２の小突起２ｃが係止する係止孔３ｅを形成している。
この実施形態では、孫の手２における左右側縁部の小突起２ｃの一つを大きくし抜け止め用係止突起２ｄ（図６参照）にしていると共に、その抜け止め用係止突起２ｄが係止する係止孔３ｅ（図７参照）を身体たたき用弾性体３の係止用溝３ｄに形成している。
このようにすれば、身体たたき用弾性体３を孫の手２の部分に取付けることにより、身体たたき用弾性体３で身体を数多く叩いても、抜け出ることなく取付け状態をより確実に保持することができる。
なお、この孫の手２における左右側縁部の小突起２ｃは、例えば、背中に塗り薬を塗る時などに、塗り薬用の布を止める輪ゴムを係止させる場合などに利用することもできる。
【産業上の利用可能性】    以上のように、本発明に係る携帯用靴べらは、少子高齢化時代に鑑み、高齢者の日常生活の動作を補助し、軽量かつ折り畳みのため小型化された道具として、携帯用に利便性のあるものである。
【図１】
2004098356.tif 000003
【図２】
2004098356.tif 000004
【図３】
2004098356.tif 000005
【図４】
2004098356.tif 000006
【図５】
2004098356.tif 000007
【図６】
2004098356.tif 000008
【図７】
2004098356.tif 000009
【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
幅方向に湾曲した板体を長手方向にも略弓状に湾曲させて細長棒状に形成した靴べらにおいて、柄の部分は、中央部で二つ折りにして全長を約半分にできるようにし、先端部に孫の手を形成してあるとともに、該孫の手部分及びへら部分よりも幅を狭く形成して身体たたき用弾性体を着脱自在としてあり、
該身体たたき用弾性体は、身体への接触面である球状の本体部を有するとともに、該柄の部分には係止せず、該孫の手部分及び該へら部分に係止する溝幅の係止用溝を備えて該孫の手部分及び該へら部分に着脱自在としてあることを特徴とする携帯用靴べら。
【請求項２】
前記孫の手は、先端部を折曲した折曲端に波状突起と、折曲部分寄りの左右側縁部に複数突設した小突起とを備えた構成としてあり、前記身体たたき用弾性体は、係止用溝に前記小突起に係止する係止孔を備えた構成としてあることを特徴とする請求項１に記載の携帯用靴べら。
【国際調査報告】
2004098356.tif 000010
2004098356.tif 000011
2004098356.tif 000012
2004098356.tif 000013